(57)【要約】【課題】特許データベースを検索して、検索結果に関する簡潔な用紙を作成する方法を提供する。【解決手段】  スーパーリンクしている対象を少なくとも１つ選択し、これで、指定されたスーパーリンク対象が、第１のスーパーリンクブロックのうちの１つ以上のブロックを含んでいる少なくとも１つの分類リストを自動的にリンクさせるステップと；分類リストから第１のスーパーリンクブロックの少なくとも１つを選択して、第２のスーパーリンクブロックの１つ以上のブロックを含んでいる少なくとも１つの検索結果リストを自動的に作成するステップと；検索結果リストから第２のスーパーリンクブロックの少なくとも１つを選択して、少なくとも１つの簡潔な用紙を自動的にリンクさせるステップと；を含む。【選択図】図１
2007280349.tif 000002
【特許請求の範囲】
【請求項１】
対象選択エリアからスーパーリンク対象を少なくとも１つ選択し、これで、スーパーリンクブロックの集合を含む分類リストを自動的にリンクさせるステップと；
分類リストからスーパーリンクブロックの少なくとも１つを選択し、それによってスーパーリンクブロックの集合を含む検索結果リストを自動的に作成するステップと；
検索結果リストからスーパーリンクブロックの少なくとも１つを選択して、検索結果についての少なくとも１つの簡潔な用紙を自動的にリンクさせるステップと；
を含む、特許データベースシステム検索方法。
【請求項２】
対象選択エリアを自動的にリンクさせる予備分類リストから少なくとも１つのスーパーリンクブロックを選択するステップをさらに含む、請求項１に記載の特許データベースシステム検索方法。
【請求項３】
分類リストを用いて、タイプ、設計、機能または使用目的にしたがって検索結果を分類する、請求項１に記載の特許データベースシステム検索方法。
【請求項４】
検索結果リストが、コンピュータシステム中に構築された特許データベースシステムから作成される、請求項１に記載の特許データベースシステム検索方法。
【請求項５】
ユーザがコンピュータシステムを操作して、特許データベースシステムにアクセスする、請求項４に記載の特許データベースシステム検索方法。
【請求項６】
ユーザが、ＬＡＮ（ローカルエリアネットワーク）や、インターネットや、モバイル電気通信システムを介して特許データベースシステムにアクセスする、請求項４に記載の特許データベースシステム検索方法。
【請求項７】
モバイル電気通信システムが第３世代モバイル通信システムから選択される、請求項６に記載の特許データベースシステム検索方法。
【請求項８】
カーソルを用いて特許データベースシステムにアクセスし、前記カーソルは、マウス、キーボード、ジョイスティック、タッチパネルおよび音声制御可能デバイスいずれかによって制御される、請求項１に記載の特許データベースシステム検索方法。
【請求項９】
簡潔な用紙は、分類されたカラムとして、主要対象カラム、ソリューションカラム、特徴カラム、クレームカラム、指定図表カラムおよび出願データカラムを含む、請求項１に記載の特許データベースシステム検索方法。
【請求項１０】
出願データカラムは、公開番号カラム、公開データカラム、実質的審査カラム、特許タイプカラム、国際分類カラム、タイトルカラム、出願番号カラム、提出日付カラム、国カラム、発明者カラムおよび出願者カラムに分割される、請求項９に記載の特許データベースシステム検索方法。
【請求項１１】
簡潔な用紙が、対応する特許のコンピュータファイルをリンクさせる全文スーパーリンクブロックをさらに含む、請求項１に記載の特許データベースシステム検索方法。
【請求項１２】
簡潔な用紙が、製品リストや検索結果に関連する対象をリンクさせる製品スーパーリンクブロックをさらに含む、請求項１に記載の特許データベースシステム検索方法。
【請求項１３】
簡潔な用紙が、検索結果に関連する専門データベース、産業データベース、商業データベース、マーケティングデータベース、製品注文／供給データベースまたは在庫データベースにリンクする、産業スーパーリンクブロックをさらに含む、請求項１に記載の特許データベースシステム検索方法。
【請求項１４】
簡潔な用紙が、特許データベースシステムの通し分類順番に対して簡潔な用紙を正確にリンクさせる少なくとも１つのデータベース分類カラムをさらに含む、請求項１に記載の特許データベースシステム検索方法。
【請求項１５】
簡潔な用紙が、従来製品カラム、従来技法カラムおよび従来問題カラムに分割される先行技術カラムをさらに含む、請求項１に記載の特許データベースシステム検索方法。
【請求項１６】
簡潔な用紙は、期待される応用可能分野の提案とする応用可能分野カラムをさらに含む、請求項１に記載の特許データベースシステム検索方法。
【請求項１７】
コンピュータシステムに記憶された複数の特許データと；
コンピュータシステム中に提供された少なくとも１つのスーパーリンク対象であって、前記スーパーリンク対象が少なくとも１つの関連特許をリンクさせることが可能な、少なくとも１つの前記スーパーリンク対象と；
を備える特許データベースシステムの簡潔な用紙において、前記簡潔な用紙が、指定されたスーパーリンク対象を対象選択エリアから選択することによって特許データベースシステムから作成される、簡潔な用紙。
【請求項１８】
簡潔な用紙は、分類されたカラムとして、主要対象カラム、ソリューションカラム、特徴カラム、クレームカラム、指定図表カラムおよび出願データカラムを含む、請求項１７に記載の特許データベースシステムの簡潔な用紙。
【請求項１９】
簡潔な用紙が、全文スーパーリンクブロック、製品スーパーリンクブロックおよび産業スーパーリンクブロックを含む複数の互いに別個のスーパーリンクブロックとさらにリンクしている、請求項１７に記載の特許データベースシステムの簡潔な用紙。
【請求項２０】
コンピュータシステムが、特許データベースシステムにアクセスするために、ＬＡＮ（ローカルエリアネットワーク）や、インターネットや、モバイル電気通信システムを介して操作される、請求項１７に記載の特許データベースシステムの簡潔な用紙。
【請求項２１】
モバイル電気通信システムが第３世代モバイル通信システムから選択される、請求項２０に記載の特許データベースシステムの簡潔な用紙。
【請求項２２】
出願データカラムは、公開番号カラム、公開データカラム、実質的審査カラム、特許タイプカラム、国際分類カラム、タイトルカラム、出願番号カラム、提出日付カラム、国カラム、発明者カラムおよび出願者カラムに分割される、請求項１８に記載の特許データベースシステムの簡潔な用紙。
【請求項２３】
全文スーパーリンクブロックが、対応する特許のコンピュータファイルをリンクさせる、請求項１９に記載の特許データベースシステムの簡潔な用紙。
【請求項２４】
製品スーパーリンクブロックが、製品リストや検索結果に関連する対象をリンクさせる、請求項１９に記載の特許データベースシステムの簡潔な用紙。
【請求項２５】
産業スーパーリンクブロックが、検索結果に関連する専門データベース、産業データベース、商業データベース、マーケティングデータベース、製品注文／供給データベースまたは在庫データベースをリンクさせる、請求項１９に記載の特許データベースシステムの簡潔な用紙。
【請求項２６】
簡潔な用紙が、特許データベースシステムの通し分類順番に対して簡潔な用紙を正確にリンクさせる少なくとも１つのデータベース分類カラムをさらに含む、請求項１７に記載の特許データベースシステムの簡潔な用紙。
【請求項２７】
簡潔な用紙が、従来製品カラム、従来技法カラムおよび従来問題カラムに分割される先行技術カラムをさらに含む、請求項１７に記載の特許データベースシステムの簡潔な用紙。
【請求項２８】
簡潔な用紙が、期待される応用可能分野の提案となる応用可能分野カラムをさらに含む、請求項１７に記載の特許データベースシステムの簡潔な用紙。
【発明の詳細な説明】
【技術分野】
【０００１】
本発明は、特許データベースシステムを検索して、検索結果の簡潔な用紙を作成する方法に関する。詳しくは、本発明は、対象選択エリアと分類リストとを用いて、特許データベースシステム内でのデータ検索を容易に／正確に実行する検索方法に関する。より詳しくは、本発明は、対象選択エリアと要素の分類リストとを用いて、特許データベースシステム内でのユーザ定義検索を決定する検索方法に関する。
【背景技術】
【０００２】
「特許文書の検索方法」という題名の台湾特許公報第Ｉ２２１９９２号に記載されているように、特許データベースに対する従来の検索方法は、特許文書データベースを含んでいるコンピュータシステムに適用される。データを検索するにあたって、ユーザはキーワードまたは情報をコンピュータシステムに入力すると、コンピュータシステムは、そのキーワードに関連する特許文書の検索結果の集合を自動的に作成することが可能である。この検索方法は：入力されたキーワードを、コンピュータシステム内に記憶されていて、複数の専門カテゴリと、それぞれの該専門カテゴリに対応した、関連する複数の特徴的用語とを含んでいる総合的キーワードカテゴリテーブルと比較するステップＡと；ステップＡの比較結果処理にしたがって、総合的キーワードカテゴリテーブルの内容から少なくとも１つ以上の考えられる専門カテゴリを分析して、選択された専門カテゴリのリストを決定するステップＢと；入力されたキーワードにしたがって、選択された専門カテゴリに対応する特許文書内に一致するものがないか検索処理するステップＣと；決定された特許文書を検索結果に応じて表示するステップＤと；を含む。
【０００３】
一般的に、この従来の検索方法は、以下に詳述するような欠点をいくつか持っている。特に、たとえばこの方法は、新人または未経験のユーザがデータを検索するには適していないが、それは、特許文書データベースを使用中に、キーワードに対する正しい専門用語を決定する際に未熟な選択を当然してしまうからである。この結果、適切なキーワードを選択することが難しくなってしまい、また、データ検索の効率も低下するという欠点がある。
【０００４】
このような検索方法の使用中に当然発生するもう一つの問題は、専門用語が膨大なため、ユーザは、ユーザが定義した専門カテゴリとは関係のない検索結果に関する望まれない情報を過剰に受信してしまうという事実である。したがって、特許文書データベース中に備えられた総合的キーワードカテゴリテーブルをこのように分類すると、不正確な検索結果を検索してしまう可能性が高い。このような検索方法を用いると、不正確な検索結果となる可能性が高くなるという欠点がある。これに加えて、コンピュータシステムが作成する検索リストには、膨大な数の検索結果が載せられる。選ばれた特許文書の内容をブラウズするのではなくてユーザが定義した検索と一致するものを識別するためには、ユーザは不可避的に、特許名、クレーム及び図面を含むそれぞれの選ばれた特許文書を開かなければならない。しかしながら、ユーザは、検索結果から無関係の特許文書を一つずつ発見する必要があり、これは検索時間の大きな部分を占め、また望ましくない無駄な時間が長くなる。
【０００５】
簡潔に言うと、現在のところ多くのデータベースシステムと検索方法では、ユーザは、普通の人にはなじみのない所定の専門用語に関するキーワードや情報を入力する必要がある。したがって、このような特許データベースシステムから検索された検索結果は、常に生データであり、これは、簡略化されておらず、また、ユーザが定義した検索を満たさない。このため、このような従来の検索方法では、データ検索の効率と精度とが低く、また、検索時間も無駄になる。よって、特許データベースシステムを検索する従来の方法を改善する必要がある。
【０００６】
以下により詳細に説明するように、本発明は、特許データベースを検索して、検索結果に関する簡潔な用紙を作成する方法を提供することを意図する。この検索方法では、ユーザは、単に、文書化されていない専門情報を入力するだけでよく、これで、スーパーリンクする対象を持つ少なくとも１つの対象選択エリアが提供される。続いて、ユーザは、スーパーリンクしている対象の１つを選択して、検索結果の関連特許文書に関する少なくとも１つの簡潔な用紙をリンクさせることが可能なスーパーリンクブロックで少なくとも１つの分類リストを検索することが可能である。ユーザは、スーパーリンクブロックのうちの１つを容易に選択して、ユーザが定義した検索に対する簡潔な用紙と一致するものを識別することが可能である。最終的には、本検索方法は、スーパーリンクしている対象によってデータ検索時間を減少させ、上記の問題を軽減して克服することに成功する。
【特許文献１】台湾特許公報第Ｉ２２１９９２号
【発明の開示】
【発明が解決しようとする課題】
【０００７】
本発明の第１の目的は、ユーザが自身で検索を定義するために、少なくとも１つの対象選択エリアが備えられる、特許データベースの検索方法を提供することになる。ユーザは、無関係な特許文書をフィルタリングするために、スーパーリンクしている対象の１つを選択することが可能である。したがって、本検索方法は、データ検索の効率と精度を向上させることが可能である。
本発明の第２の目的は、簡略化された方法で複写される少なくとも１つの簡潔な用紙をリンクさせるために、少なくとも１つの対象選択エリアが提供される、特許データベースからの検索結果に関する簡潔な用紙を作成する検索方法を提供することにある。したがって、本検索方法は、ユーザの検索時間を短縮させることが可能である。
本発明の別の目的は、製品と適用分野に関する情報を含んでいる少なくとも１つの簡潔な用紙をリンクさせるために、少なくとも１つの対象選択エリアが提供される、特許データベースからの検索結果に関する、簡潔な用紙を作成する検索方法を提供することである。したがって、本検索方法は、これ以上の動作無しで、検索結果に関する基本的なデータを自動的に作成することが可能である。
【課題を解決するための手段】
【０００８】
本発明の一態様による検索方法は：スーパーリンクしている対象を少なくとも１つ選択し、これで、指定されたスーパーリンク対象が、第１のスーパーリンクブロックの１つ以上のブロックを含んでいる少なくとも１つの分類リストを自動的にリンクさせるステップと；分類リストから第１のスーパーリンクブロックの少なくとも１つを選択して、第２のスーパーリンクブロックの１つ以上のブロックを含んでいる少なくとも１つの検索結果リストを自動的に作成するステップと；検索結果リストから第２のスーパーリンクブロックの少なくとも１つを選択して、少なくとも１つの簡潔な用紙を自動的にリンクさせるステップと；を含む。
【０００９】
本発明の別個の態様による特許データベースシステムから作成された簡潔な用紙は、分類された基本的データと、スーパーリンクブロックから成る少なくとも１つの集合とを含んでいる。この簡潔な用紙は、分類された基本的データを収納するために、分類されたカラムから形成される。この分類されたカラムには、主要対象カラム、ソリューションカラム、特徴カラム、クレームカラム、指定図表カラムおよび出願データカラムが含まれる。スーパーリンクブロックは、全文スーパーリンクブロック、製品スーパーリンクブロックおよび産業スーパーリンクブロックから選択される。
【００１０】
本発明のさらなる適用分野は、以降に示す詳細な説明を読めば明らかになるであろう。しかしながら、本発明の好ましい実施形態を示しているとはいえ、この詳細な説明および具体的な例は、解説目的だけであることを理解すべきであるが、それは、さまざまな例がこの詳細な説明から当業者には明らかであるからである。
【発明を実施するための最良の形態】
【００１１】
ここで図１と図２を参照すると、本発明の好ましい実施形態による特許データベースシステムの検索方法は：予備分類するステップ“Ｓ１”と；対象を補助分類するステップ“Ｓ２”と；分類リストをリンクさせるステップ“Ｓ３”と；検索結果に関する少なくとも１つの簡潔な用紙をリンクさせるステップ”Ｓ４”と；簡潔な用紙を表示するステップ”Ｓ５”とを含む。好ましい実施形態では、ステップ“Ｓ１”は所望しだいで省略しても実行してもよい。続いて、ステップ“Ｓ２”は一回以上実行するのが好ましい。また、ステップ”Ｓ３“は一回以上実行するのが好ましい。続いて、ステップ”Ｓ４“は、検索結果に関する少なくとも１つの簡潔な用紙（指定番号１）をリンクさせるのに成功したり不成功であったりする。最後に、ステップ”Ｓ５“は、ステップ”Ｓ４”が少なくとも１つの簡潔な用紙をリンクさせることに成功した場合に、特許データベースシステムの最終的な検索結果を表示する。
【００１２】
さらに図２を参照すると、この好ましい実施形態では、検索システムと検索結果に関する簡潔な用紙１とは、特許データベースシステム（図示せず）と接続しているコンピュータシステム（図示せず）中に組み込まれている。ユーザは、特許データベースシステム内でデータを検索する際に、スーパーリンク対象のうちから１つを選択することが可能である。このような特許データベースシステムにおいては、それぞれの特許は、簡潔な用紙１の１つに対応している。検索動作において、データの検索は、コンピュータシステム中で直接的に実行される。一代替実施形態では、データ検索は、コンピュータシステムを制御するＬＡＮ（ローカルエリアネットワーク）や、インターネットや、モバイル電気通信システムを介して実行され、これで、特許データベースシステムにアクセスする。モバイル電気通信システムは、たとえば、第三世代のモバイル通信システムやＷＣＤＭＡ（広帯域符号分割多重アクセス方式）から選択可能であるのが好ましい。
【００１３】
さらに図２を参照すると、簡潔な用紙１は、特許の分類済み基本データを収納する分類済みカラムから形成される。この分類されたカラムには、主要対象カラム、ソリューションカラム、特徴カラム、クレームカラム、指定図表カラムおよび出願データカラムが含まれる。たとえば、クレームカラムには、１つ以上の従属クレームまたは独立クレームが配置される。指定図表カラムには、実施形態の１つを表している少なくとも１つの図面が配置されるのが好ましい。出願データカラムは、たとえば、公開番号カラム、公開データカラム、実質的審査カラム、特許タイプカラム、国際分類カラム、タイトルカラム、出願番号カラム、提出日付カラム、国カラム、発明者カラムおよび出願者カラムに分割される。
【００１４】
さらに図２を参照すると、簡潔な用紙１はさらに、スーパーリンクブロックを含む少なくとも１つの集合と、少なくとも１つのデータベース分類カラムと、少なくとも１つの先行技術カラムを含む。スーパーリンクブロックは、全文スーパーリンクブロック、製品スーパーリンクブロックおよび産業スーパーリンクブロックから選択することが可能である。全文スーパーリンクブロックは、対応する特許のコンピュータファイルをリンクさせることが可能である。製品スーパーリンクブロックは、検索結果に関連する製品リストまたは対象をリンクさせることが可能である。さらに、産業スーパーリンクブロックはさらに、検索結果に関連する専門データベース、産業データベース、商業データベース、マーケティングデータベース、製品注文／供給データベースまたは在庫データベースをリンクさせることが可能である。簡潔な用紙１のデータベース分類カラムはさらに、少なくとも１つの大規模分類カラムと、少なくとも１つの小規模分類カラムと、特許データベースの通し分類順番に対して簡潔な用紙１を正確にリンクさせることが可能な少なくとも１つの機能分類カラムとを含むことが好ましい。加えて、先行技術カラムが、従来製品カラム、従来技法カラムおよび従来問題カラムに分割される。従来製品カラムには、関連製品カテゴリの集合が開示される。また、従来技法カラムには、公知の技法の説明が開示されている。さらにそのうえ、従来問題カラムには、既存の問題の説明が開示されている。簡潔な用紙１はさらに、期待される応用可能分野の提案となる応用可能分野カラムを含むのが好ましい。
【００１５】
ここで図１、３および４を参照すると、本発明の好ましい実施形態による検索方法では、所望しだいでは、ステップ“Ｓ１”の実行を省略したりステップ”Ｓ１“を少なくとも一回以上実行したりする。ステップ”Ｓ１”では、ユーザは、標準の用語を入力する必要性なく、所望のキーワードまたは所望の非文書化されたまたは非構造化された情報を本発明の特許検索システムに入力する。このキーワードまたは情報の入力に続いて、予備検索が実行される。本好ましい実施形態では、検索方法による予備分類を一回以上処理して、スーパーリンクブロック２１、２２、２３および２４を含む予備分類リスト２を作成する。いったんユーザがスーパーリンクブロック２１を予備分類リスト２から選択すると、選択されたスーパーリンクブロック２１は、たとえばスーパーリンク対象３１、３２、３３、３４、３５、３６、３７および３８から成る集合を含む対象選択エリア３を自動的にリンクさせることが可能である。予備分類リスト（すなわちメイン集合）２では、互いに別個のいくつかのスーパーリンクブロック（すなわちサブ集合）２１、２２、２３および２４が機能として提供されており、これで、関連する専門分野にしたがって予備検索の結果を自動的に分類することによって、ユーザが定義した検索をさらに決定し、また、簡略化する。本好ましい実施形態では、予備分類リスト２では、予備検索の結果を、関連する専門分野のサブドメインの容認可能ないくつかのオプションに互いに分離する。たとえば、関連の専門分野には、ＤＣブラシレス軸タイプのモーター／ファン、ＤＣブラシレスブロアタイプモーター／ファン、ＡＣモーター／ファン、放熱モジュールおよび他のモーターデバイスがある。予備分類においては、簡単なポイントアンドクリックインタフェース付きのカーソル９を用いて、キーワードや専門用語をなんら入力する必要性なく、スーパーリンクブロック２１、２２、２３および２４の１つを選択することが可能である。好ましい実施形態では、カーソル９は、マウス、キーボード、ジョイスティック、タッチパネルおよび音声制御可能デバイスのいずれかによって制御することが可能である。
【００１６】
ここで図１、４および５を参照すると、本発明の好ましい実施形態による検索方法では、パターン分類における必要性にしたがって少なくとも一回以上ステップ“Ｓ２”を実行する。ステップ”Ｓ２”では、それぞれが対象パターンまたは他の同等物パターンとして示された、対象選択エリア３のスーパーリンク対象３１、３２、３３、３４、３５、３６、３７および３８の少なくとも１つを、ユーザが定義した検索を正確に満足させるように指定することが可能である。対象選択エリア３は、さまざまな対象パターンによって、検索結果を互いに別個のいくつかのスーパーリンク対象に分離することが可能である。いったんスーパーリンク対象３１が対象選択エリア３から選択されると、指定された対象パターンを閲覧することによって、この選択されたスーパーリンク対象３１は、たとえば第１のスーパーリンクブロック４１と４２から成る集合を含む進展した第１の分類リストを自動的にリンクさせることが可能である。対象選択エリア３は、専門用語用の良好なメモリーの負担を軽減するスーパーリンク対象３１、３２、３３、３４、３５、３６、３７および３８の対象パターンによって、サブ集合をさらに１連の特定の構成要素に分割するように機能することが可能である。本好ましい実施形態では、対象選択エリア３は、モーター／ファン分野の範囲の方向におもむき、これによって、それぞれのスーパーリンク対象３１、３２、３３、３４、３５、３６、３７および３８が、たとえばモーター回転子、回転シャフト、軸チューブ、モーター固定子、シリコン鋼板、モーターコイル、回路基板およびホール部材の対象パターンをそれぞれリンクさせる。別の好ましい実施形態では、スーパーリンク対象３１、３２、３３、３４、３５、３６、３７および３８の１つ以上が、別の特定のモーター構成要素集合をリンクさせる。対象パターン分類では、カーソル９を用いて、キーワードや専門用語をなんら入力する必要性なく、スーパーリンク対象３１、３２、３３、３４、３５、３６、３７および３８の対象パターンの１つを選択することが可能である。好ましい実施形態では、この選択されたスーパーリンク対象が、選択されたスーパーリンク対象のサブ構成要素を関連付けるスーパーリンク対象の集合をリンクさせる。たとえば、スーパーリンク対象３１が、モーター回転子の指定された構成要素を関連付けるハブ、ファンホイール、ブレードおよびプロペラなどのサブ構成要素の対象パターンをリンクさせるために指定される。
【００１７】
さらに図１と図５を参照すると、本発明の実施形態による検索方法では、進展した分類における必要性にしたがって少なくとも１回以上はステップ“Ｓ３”が実行される。ステップ“Ｓ３”では、第１の進展した分類リスト４の第１のスーパーリンクブロック４１と４２の少なくとも一方を、ユーザ定義された検索をさらに満足させるように指定することが可能である。いったん第１のスーパーリンクブロック４１が第１の進展した分類リスト４から選択されると、この選択された第１のスーパーリンクブロック４１は、検索結果の検索結果リスト６を自動的に発生することが可能である。検索結果リストと６に到達する以前に、第１のスーパーリンクブロック４１と４２は、第１のスーパーリンクブロック４１と４２の構成要素に関連したサブ構成要素を指向する第２のスーパーリンクブロック５１、５２および５３から成る集合を含む少なくとも１つの第２の進展した分類リスト５をリンクさせる。検索結果をさらにフィルタリングするため、１連の第１と第２の進展した分類リスト４と５があるが、これらを用いて、タイプ、設計、機能または使用目的にしたがって検索結果を分類することが可能である。第１の進展した分類リスト４は、検索結果を、構成要素のタイプにしたがって互いに別個の第１のスーパーリンクブロック４１と４２に分離することが可能である。進展した分類では、第１のスーパーリンクブロック４１が、進展した分類リスト４から選択される。第１のスーパーリンクブロック４１と４２は、データ検索における目的地の範囲が減少されるモーター回転子のタイプを指向する。たとえば、第１のスーパーリンクブロック４１と４２は、外部回転子および内部回転子のタイプまたは他の回転子タイプを指向する。第１の進展した分類リスト４から第１のスーパーリンクブロック４１が選択されるのに続いて、さらなる分類の進展のために、第２のスーパーリンクブロック５１、５２および５３の１つが第２の進展した分類リスト５から選択される。同様に、第２の進展した分類リスト５は、サブ構成要素の設計にしたがって検索結果をいくつかの第２のスーパーリンクブロック５１、５２および５３に分離することが可能である。たとえば、第２のスーパーリンクブロック５１、５２および５３は、モーター回転子の釣り合わせ装置、永久磁石もしくはハブ構造の設計またはモーター回転子の他の設計を指向する。これらの進展した分類では、カーソル９を用いて、キーワードや専門用語をなんら入力する必要性なく、第１と第２の進展した分類リスト４と５から、スーパーリンクブロックの１つを選択することが可能である。
【００１８】
ここで図１、図５および図６〜図８を参照すると、本発明の実施形態による検索方法は、検索結果リスト６から少なくとも１つのスーパーリンクブロック６１を選択するステップ“Ｓ４”を含む。ステップ“Ｓ４”では、スーパーリンクブロック６１を検索結果リスト６から選択し、それによって、検索結果の少なくとも１つの簡潔な用紙１を自動的にリンクさせる。検索結果リスト６は、検索結果の最終的目的地を決定するように機能し、該目的地にはステップ“Ｓ１”からステップ“Ｓ４”でタイプ、機能または使用目的によって減少される関連特許の限られた集合が伴う。好ましい実施形態では、スーパーリンクブロック６１は、少なくとも１つの特許、たとえば、ｔｗ４９９１０２とリンクすることがありえる。ステップ”Ｓ４“では、カーソル９を用いて、キーワードや専門用語をなんら入力する必要性なく、検索結果リスト６からスーパーリンクブロックの１つを選択することが可能である。
【００１９】
さらに図１と図６〜図８を参照すると、ステップ”Ｓ４”の実行に成功した後、簡潔な用紙１が提供される。簡潔な用紙１の構成は、特許のさまざまなタイプや形態にしたがって設計される。ユーザは、主要対象対象カラム、ソリューションカラム、特徴カラム、クレームカラム、指定図表カラムおよび出願データカラムのいずれかをチェックすることによって、検索結果の簡潔な用紙１を識別することが可能である。さらにそのうえ、簡潔な用紙１の全文スーパーリンクブロック、製品スーパーリンクブロックおよび産業スーパーリンクブロックのいずれかを選択してさらに多くの情報を求めることが可能である。期待される応用可能分野を、簡潔な用紙１の応用可能分野カラムから幾分かの提案をされることが好ましい。
【００２０】
上述したように、従来の特許データベースシステムとその検索方法では、ユーザが、所定の専門用語についてのキーワードや情報を入力することが必要とされる。さらにそのうえ、このような特許データベースシステムから検索された検索結果は常に生データであり、これは簡略化されておらず、したがって、ユーザ定義された検索を満たすことが不可能である。逆に、本発明による検索方法は、対象選択エリア３に提供されるスーパーリンク対象３１、３２、３３、３４、３５、３６、３７および３８の対象パターンを用いることによって検索結果を分類するステップを含む。したがって、スーパーリンク対象３１、３２、３３、３４、３５、３６、３７および３８は、データ検索がどの方向に進行中であるかをユーザが判定する支援となるように設計される。さらにそのうえ、スーパーリンク対象３１、３２、３３、３４、３５、３６、３７および３８の１つが選択されると、検索範囲をさらに減少させるために、進展した分類リスト４と５が与えられる。最終的には、検索結果リスト６は、１つ以上の簡潔な用紙１をリンクさせるために作成される。その結果、特許データベース検索方法において対象パターンを用い、これによって、データ検索のユーザ利便性を達成し、検索結果の目的地の精度が向上し、ユーザの検索時間が短縮されることが利点となる。
【００２１】
本発明をその現時点での好ましい実施形態を参照して詳述したが、添付クレームに記載されている本発明の精神と範囲から逸脱することなく、さまざまな修正例が可能であることが当業者には理解されるであろう。
【図面の簡単な説明】
【００２２】
本発明は、以下に示す詳細な説明と、図示目的だけであり、したがって、本発明を制限するものではない以下の添付図面からより完全に理解されるであろう。
【図１】本発明の好ましい実施形態による特許データベースシステムの検索方法を示すフローチャートである。
【図２】本発明の好ましい実施形態による特許データベースシステムから作成される簡潔な用紙を図示する概略図である。
【図３】本発明の好ましい実施形態によるスーパーリンクブロックの集合によって形成される分類リストを示す概略図である。
【図４】本発明の好ましい実施形態による対象パターンを持つスーパーリンク対象の集合によって形成された対象選択エリアを図示する概略図である。
【図５】本発明の好ましい実施形態による一連の分類リストをリンクさせる選ばれたスーパーリンク対象を示す概略図である。
【図６】本発明の好ましい実施形態による検索方法によって作成された特許データベースシステムの簡潔な用紙を示す概略図である。
【図７】本発明の好ましい実施形態による検索方法によって作成された特許データベースシステムの簡潔な用紙を示す概略図である。
【図８】本発明の好ましい実施形態による検索方法によって作成された特許データベースシステムの簡潔な用紙を示す概略図である。
【図１】
2007280349.tif 000003
【図２】
2007280349.tif 000004
【図３】
2007280349.tif 000005
【図４】
2007280349.tif 000006
【図５】
2007280349.tif 000007
【図６】
2007280349.tif 000008
【図７】
2007280349.tif 000009
【図８】
2007280349.tif 000010